(57)【要約】【課題】フック体に対して連結部を回動自在とする回動機構部の構造を簡易なものとし、従来品に比して容易に設計実現可能となる連結フックを提供すること。【解決手段】フック体１の基端部に回動機構部２を介して連結部３を回動自在に設けた連結フックにおいて、金属製フック体１の基端部に切欠凹部４を形成し、この切欠凹部４に回動軸５を配設すると共に、この切欠凹部４の両側からフック体１の基端部に支持部材６を付設し、この支持部材６により前記回動軸５を両側から挟み込むことで、切欠凹部４に回動軸５を回動自在且つ抜け止め状態に支持する構成とし、この回動軸５の先端部に前記連結部３を設けて、フック体１に対し連結部３を回動自在とする前記回動機構部２を構成した連結フック。【選択図】　　　　図１
2004108398.tif 000002
【特許請求の範囲】
【請求項１】
フック体の基端部に回動機構部を介して連結部を回動自在に設けた連結フックにおいて、金属製フック体の基端部に切欠凹部を形成し、この切欠凹部に回動軸を配設すると共に、この切欠凹部の両側からフック体の基端部に支持部材を付設して、この支持部材により前記回動軸を両側から挟み込むことで、切欠凹部に回動軸を回動自在且つ抜け止め状態に支持する構成とし、この回動軸の先端部に前記連結部を設けて、フック体に対し連結部を回動自在とする前記回動機構部を構成したことを特徴とする連結フック。
【請求項２】
前記回動軸の一端部に径大部を設け、この径大部を前記切欠凹部に配設し、この径大部よりも回動軸の他端側を挟み込むようにして切欠凹部の両側からフック体の基端部に支持部材を付設することで、径大部が支持部材に当接して切欠凹部より回動軸が抜け止め状態となり、且つ両側の支持部材間で回動軸が回動自在に支持される構成としたことを特徴とする請求項１記載の連結フック。
【請求項３】
前記回動軸はボルトを採用してこのボルト頭部を前記径大部とし、このボルトの先端部に前記連結部を螺着連結したことを特徴とする請求項２記載の連結フック。
【請求項４】
前記切欠凹部は、一端部に径大部を設けた前記回動軸の外形に対応する形状に切欠形成したことを特徴とする請求項２，３のいずれか１項に記載の連結フック。
【発明の詳細な説明】
【０００１】
【発明の属する技術分野】
本発明は、フック体の基端部に回動機構部を介して連結部が回動自在に設けられた連結フックに関するものである。
【０００２】
【従来の技術及び発明が解決しようとする課題】
従来の連結フックは、例えば、実用新案登録第２５８３５５２号に示されているように、フック体の基端の連結板部に軸受孔を貫通形成し、この軸受孔に連結軸体を連結横軸により回動自在に連結し、この連結軸体の先端に係止頸部を設け、この係止頸部に連結係止体（連結部）を回動自在に枢着することで、フック体に対し連結係止部が回動自在に構成されている。
【０００３】
本発明は、この種連結フックの改良に係るもので、フック体に対して連結部を回動自在とする回動機構部の構造を簡易なものとし、従来品に比して容易に設計実現可能となる画期的な連結フックを提供するものである。
【０００４】
【課題を解決するための手段】
添付図面を参照して本発明の要旨を説明する。
【０００５】
フック体１の基端部に回動機構部２を介して連結部３を回動自在に設けた連結フックにおいて、金属製フック体１の基端部に切欠凹部４を形成し、この切欠凹部４に回動軸５を配設すると共に、この切欠凹部４の両側からフック体１の基端部に支持部材６を付設して、この支持部材６により前記回動軸５を両側から挟み込むことで、切欠凹部４に回動軸５を回動自在且つ抜け止め状態に支持する構成とし、この回動軸５の先端部に前記連結部３を設けて、フック体１に対し連結部３を回動自在とする前記回動機構部２を構成したことを特徴とする連結フックに係るものである。
【０００６】
また、前記回動軸５の一端部に径大部５Ａを設け、この径大部５Ａを前記切欠凹部４に配設し、この径大部５Ａよりも回動軸５の他端側を挟み込むようにして切欠凹部４の両側からフック体１の基端部に支持部材６を付設することで、径大部５Ａが支持部材６に当接して切欠凹部４より回動軸５が抜け止め状態となり、且つ両側の支持部材６間で回動軸５が回動自在に支持される構成としたことを特徴とする請求項１記載の連結フックに係るものである。
【０００７】
また、前記回動軸５はボルト５を採用してこのボルト５頭部を前記径大部５Ａとし、このボルト５の先端部に前記連結部３を螺着連結したことを特徴とする請求項２記載の連結フックに係るものである。
【０００８】
また、前記切欠凹部４は、一端部に径大部５Ａを設けた前記回動軸５の外形に対応する形状に切欠形成したことを特徴とする請求項２，３のいずれか１項に記載の連結フック。
【０００９】
【発明の実施の形態】
好適と考える本発明の実施の形態（発明をどのように実施するか）を、図面に基づいてその作用効果を示して簡単に説明する。
【００１０】
本発明は、単に、フック体１の基端部に凹部４を切欠形成し、この切欠凹部４に連結部３を設けた回動軸５を配した上、この回動軸５をフック体１基端部で切欠凹部４の両側から支持部材６で挟み込んで支持するだけで、フック体１に対し連結部３が回動自在となる回動機構部２（スイベル機構）を構成できる。
【００１１】
従って、この本発明の構成は前記従来例の構造に比してシンプルな構成であり、従来例よりも容易に設計実現可能となる。
【００１２】
また、フック体の基端部に軸受孔を貫通形成する従来例においては、フック体を鋳造により一体成形していたが、フック体１の基端部に切欠凹部４を切欠形成する本発明においては、例えば、単に金属板をフック形状に切欠形成することによってフック体１を構成することも可能であるため、従来品に比して簡単に且つコストをかけずにフック体１を形成することも可能となるなど、秀れた構成の連結フックとなる。
【００１３】
また、例えば、前記回動軸５の一端部に径大部５Ａを設け、この径大部５Ａを前記切欠凹部４に配設し、この径大部５Ａよりも回動軸５の他端側を挟み込むようにして切欠凹部４の両側からフック体１の基端部に支持部材６を付設することで、径大部５Ａが支持部材６に当接して切欠凹部４より回動軸５が抜け止め状態となり、且つ両側の支持部材６間で回動軸５が回動自在に支持される構成とすれば、極めてシンプルな回動機構部２を構成可能となるので、一層容易に且つコスト安に設計実現可能となる。
【００１４】
また、例えば、前記回動軸５はボルト５を採用してこのボルト５頭部を前記径大部５Ａとし、このボルト５の先端部に前記連結部３を螺着連結すれば、既存のボルト５を利用することで前記回動機構部２を極めて容易に且つコスト安に設計実現可能となり、一層実用的となる。
【００１５】
また、例えば、前記切欠凹部４は、一端部に径大部５Ａを設けた前記回動軸５の外形に対応する形状に切欠形成すれば、切欠凹部４に回動軸５を簡単に配設することができ、一層製作容易となる。
【００１６】
【実施例】
本発明の具体的な実施例について図面に基づいて説明する。
【００１７】
本実施例は、フック体１の基端部に回動機構部２を介して連結部３を回動自在に設けている。
【００１８】
具体的に説明すると、フック体１は一枚の金属板を図１，図２に示すようなフック形に切欠係止して構成し、更にこの切欠形成したフック体１の基端部には、図３において逆凸字形となる凹部４を切欠形成している。
【００１９】
また、この切欠凹部４には回動軸５を配設すると共に、この回動軸５を回動自在且つ抜け止め状態に支持し、この回動軸５の先端部に前記連結部３を設けて、フック体１に対し連結部３を回動自在とする前記回動機構部２を構成している。
【００２０】
回動機構部２について具体的に説明すると、前記切欠凹部４の表裏両側からフック体１の基端部に支持部材６を付設し、この支持部材６によりこの切欠凹部４に配設した前記回動軸５を両側から挟み込むことで、回動軸５を回動自在且つ抜け止め状態に支持する構成としている。
【００２１】
また、この回動軸５の一端部に、前記フック体１の厚さ幅よりも径幅が大きい径大部５Ａを設け、この径大部５Ａを前記切欠凹部４の図３における上側の幅広部分に配設し、この切欠凹部４の下側の幅狭部分に位置するようにしてフック体１の表裏両側に支持部材６を付設することで、この支持部材６に径大部５Ａが当接して切欠凹部４より抜け止め状態となり、且つ両側の支持部材６間で径大部５Ａよりも下側の回動軸５が回動自在に支持される構成としている。
【００２２】
また、回動軸５について更に説明すると、前記フック体１の板厚寸法と略同径若しくはやや径大となるボルト径のボルト５を採用し、このボルト５の頭部を前記径大部５Ａとしている。
【００２３】
尚、前記切欠凹部４は、このボルト５の形に合わせてボルト５の外形よりもやや大きめな逆凸字形に形成しているもので、これにより組み立て時にはこの切欠凹部４に簡単にボルト５を配設できるようにしている。
【００２４】
また、支持部材６は、前記切欠凹部４の図３における下方の幅狭部分の横幅よりも長さのある金属製帯板とし、この支持部材６の中程にはガイド湾曲部６Ａを形成して、このガイド湾曲部６Ａ間でボルト５を回動自在に支持する構成としている。
【００２５】
この支持部材６のフック体１基端部への取付構造を説明すると、支持部材６の両端部に取付孔８を貫通形成する一方、フック体１基端側の切欠凹部４近傍の左右位置には、前記取付孔８に位置を対応させて止穴７を貫通形成している。そして、フック体１基端側（図３における下側）の幅狭な切欠凹部４部分に、このフック体１の表裏両外側から支持部材６を配設すると共に取付孔８と止穴７とを連通させ、この連通させた取付孔８と止穴７とに止着具９としてのリベット９を挿入してカシメ止めすることで、切欠凹部４に配設したボルト５を支持部材６により両側から挟み込み、径大部５Ａが抜け止め状態となる構成としている（図３，図４参照）。
【００２６】
従って、この支持部材６の取付構造は簡易な構成であり、容易に設計実現可能となる。よって、実際に組み立てるにあたっては、フック体１のボルト形の切欠凹部４にボルト５を配設した上で、この簡単な取付構造によって支持部材６を付設することにより極めて容易に回動機構部２の軸支構造の組み立てが行えることとなり、この際、ボルト５は略同形の切欠凹部４によって動きにくい状態となっているため、支持部材６を非常に取り付けし易いこととなる。また、本実施例では、帯板状の支持部材６を採用したため、この支持部材６がフック体１の表裏面から極端に突出して体裁を悪くすることも、収納時にかさになったりすることもない。
【００２７】
本実施例では、このボルト５の先端部に前記連結部３を螺着連結している。
【００２８】
具体的に説明すると、連結部３は、板材を断面コ字形に折曲して成り、中間部に連結孔３Ａを貫通形成している。
【００２９】
このボルト５の先端部（図３における下端部）をこの連結孔３Ａに挿通し、この挿通したボルト５先端に四角ナット１０を螺着して、ボルト５に対し連結部３が抜け止め状態となる構成している。
【００３０】
また、このナット１０とボルト５先端側とにはピン１１止用の止着孔１０Ａ・５Ｂを形成し、位置を合わせて連通状態としたこの止着孔１０Ａ・５Ｂにピン１１を挿通係止することで、ボルト５に対しナット１０が回動不能状態となるように構成している（図３，図５参照）。
【００３１】
また、連結部３について更に説明すると、遊離端部基端側（図面上側）を、ナット１０の側面に面接当接し得る形状に形成し、連結部３とナット１０とが前記ボルト５を軸に共回りする構成としている。
【００３２】
従って、フック体１に対して、ボルト５と共に連結部３が回動自在となる前記回動機構部２を構成している。また、このボルト５に対する連結部３の取付構造も簡易に設計実現可能な構成であり、量産性に秀れ安価に構成可能となる。
【００３３】
尚、本発明は、本実施例に限られるものではなく、各構成要件の具体的構成は適宜設計し得るものである。
【００３４】
【発明の効果】
本発明は上述のように構成したから、単に、フック体の基端部に凹部を切欠形成し、この切欠凹部に連結部を設けた回動軸を配した上、この回動軸を両側から支持部材で挟み込んで支持する構成とするだけで、フック体に対し連結部が回動自在となる回動機構部（スイベル機構）を構成できるため、この構成は前記従来例の構造に比して非常にシンプルで極めて容易に構成できることとなり、しかも、フック体の基端部に軸受孔を貫通形成する従来例においては、フック体を鋳造により一体成形していたが、本発明においては、例えば、単に金属板をフック形状に切欠形成すると共に、基端部に切欠凹部を切欠形成することによってフック体を簡単に且つコスト安に形成することも可能となるなど、極めて実現化が容易な画期的な連結フックとなる。
【００３５】
また、請求項２記載の発明においては、極めてシンプルな回動機構部を構成可能となるので、一層容易に且つコスト安に設計実現可能となる実用性に秀れた連結フックとなる。
【００３６】
また、請求項３記載の発明においては、前記回動機構部を極めて容易に且つコスト安に設計実現可能となる一層実用性に秀れた構成の連結フックとなる。
【００３７】
また、請求項４記載の発明においては、切欠凹部に回動軸を簡単に配設することができるため、一層製作容易となる極めて実用性に秀れた連結フックとなる。
【図面の簡単な説明】
【図１】本実施例を示す斜視図である。
【図２】本実施例の要部を示す斜視図である。
【図３】本実施例の要部の分解斜視図である。
【図４】図１のＡ−Ａ断面図である。
【図５】図１のＢ−Ｂ断面図である。
【符号の説明】
１　フック体
２　回動機構部
３　連結部
４　切欠凹部
５　回動軸（ボルト）
５Ａ　径大部
６　支持部材
【図１】
2004108398.tif 000003
【図２】
2004108398.tif 000004
【図３】
2004108398.tif 000005
【図４】
2004108398.tif 000006
【図５】
2004108398.tif 000007